【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
光源と、前記光源から射出された光を光導入面から受光し光射出面から射出する導光体とを有し、前記導光体の前記光導入面には複数の前記光源が配列され、前記光源は一の回路基板上に設けられ、前記一の回路基板は前記導光体に固定されていることを特徴とする照明装置。
【請求項２】
光源と、前記光源から射出された光を光導入面から受光し光射出面から射出する導光体とを有し、前記導光体の前記光導入面には、第１光源列と第２光源列とを含む複数の光源列が設けられ、前記第１光源列は第１回路基板上に設けられ、前記第２光源列は第２回路基板上に設けられていることを特徴とする照明装置。
【請求項３】
前記第１回路基板と前記第２回路基板とは、前記第１光源列及び前記第２光源列を挟んで対向していることを特徴とする請求項２に記載の照明装置。
【請求項４】
前記第１光源列と前記第２光源列とは、その光源の配列方向において互い違いにずれていることを特徴とする請求項３に記載の照明装置。
【請求項５】
前記第１光源列と前記第２光源列とは、その光源の配列方向から見て部分的に重なって配置されていることを特徴とする請求項４に記載の照明装置。
【請求項６】
前記第１回路基板の端部は前記導光体の前記光射出面上に固定されており、前記第２回路基板の端部は前記導光体の光射出面とは反対側の面上に固定されていることを特徴とする請求項３〜５のいずれかの項に記載の照明装置。
【請求項７】
前記光導入面に第１光源列と第２光源列とを含む複数の光源列が設けられ、前記第１光源列は前記一の回路基板の一方の面上に設けられ、前記第２光源列は前記一の回路基板の他方の面上に設けられていることを特徴とする請求項１に記載の照明装置。
【請求項８】
前記一の回路基板の端部は、前記導光体の光導入面に設けられた溝の内面に固定されていることを特徴とする請求項７に記載の照明装置。
【請求項９】
前記第１光源列と前記第２光源列とは、前記第２回路基板を挟んで互いに対向していることを特徴とする請求項２に記載の照明装置。
【請求項１０】
前記第１回路基板の端部は前記導光体の前記光射出面上に固定されており、前記第２回路基板の端部は前記導光体の光導入面に設けられた溝の内面に固定されていることを特徴とする請求項２に記載の照明装置。
【請求項１１】
請求項１〜１０のいずれか１項に記載に照明装置と、前記照明装置の光射出面と対向配置された液晶パネルとを備えたことを特徴とする液晶装置。
【手続補正２】
【補正対象書類名】明細書
【補正対象項目名】０００５
【補正方法】変更
【補正の内容】
【０００５】
上記の課題を解決するため、本発明の照明装置は、光源と、前記光源から射出された光を光導入面から受光し光射出面から射出する導光体とを有し、前記導光体の前記光導入面には複数の前記光源が配列され、前記光源は一の回路基板上に設けられ、前記一の回路基板は前記導光体に固定されていることを特徴とする。
この構成によれば、導光体の光導入面により多くの光源を配置できるため、従来の照明装置に比べて高輝度な平面発光が可能になる。また、複数の光源を一箇所に集約するため、省スペース化が図られる。さらに、光源を一箇所に集約したことで、光源を一の回路基板上に設けることが可能になり、部品点数の削減が図られる。
【手続補正３】
【補正対象書類名】明細書
【補正対象項目名】０００６
【補正方法】変更
【補正の内容】
【０００６】
本発明の照明装置は、光源と、前記光源から射出された光を光導入面から受光し光射出面から射出する導光体とを有し、前記導光体の前記光導入面には、第１光源列と第２光源列とを含む複数の光源列が設けられ、前記第１光源列は第１回路基板上に設けられ、前記第２光源列は第２回路基板上に設けられていることを特徴とする。
この構成によれば、導光体の光導入面により多くの光源を配置できるため、従来の照明装置に比べて高輝度な平面発光が可能になる。また、複数の光源を一箇所に集約するため、省スペース化が図られる。
【手続補正４】
【補正対象書類名】明細書
【補正対象項目名】０００７
【補正方法】変更
【補正の内容】
【０００７】
本発明においては、前記第１回路基板と前記第２回路基板とは、前記第１光源列及び前記第２光源列を挟んで対向しているものとすることができる。
この構成によれば、第１回路基板と第２回路基板においてそれぞれ第１光源列及び第２光源列が配置される面が異なる向きになるため、実装上の問題でこれらの面が同じ向きに限定されるような場合には、この構成を採用することができる。例えば、第１光源列と第２光源列を一の回路基板上に実装し、その光源列が配置される面を導光体の光導入面に向けて折り曲げる場合には、第１光源列と第２光源列が配置される面が互いに異なる向きになるため、この構成を採用できる。
【手続補正５】
【補正対象書類名】明細書
【補正対象項目名】０００８
【補正方法】変更
【補正の内容】
【０００８】
この構成においては、前記第１光源列と前記第２光源列とは、その光源の配列方向において互い違いにずれていることが望ましい。
この構成によれば、導光体の内部で光軸の重なりによる輝度の高い領域が形成されることがなく、導光体全体で輝度むらの少ない均一な照明を行なうことができる。
【手続補正６】
【補正対象書類名】明細書
【補正対象項目名】０００９
【補正方法】変更
【補正の内容】
【０００９】
また、前記第１光源列と前記第２光源列とは、その光源の配列方向から見て部分的に重なって配置されていることが望ましい。
この構成によれば、導光体の厚みを薄くすることができる。
【手続補正７】
【補正対象書類名】明細書
【補正対象項目名】００１２
【補正方法】変更
【補正の内容】
【００１２】
本発明においては、前記光導入面に第１光源列と第２光源列とを含む複数の光源列が設けられ、前記第１光源列は前記一の回路基板の一方の面上に設けられ、前記第２光源列は前記一の回路基板の他方の面上に設けられていることができる。
この構成によれば、一の回路基板上に全ての光源が配置されるため、部品点数が削減され、コストダウンが図られる。
【手続補正８】
【補正対象書類名】明細書
【補正対象項目名】００１４
【補正方法】変更
【補正の内容】
【００１４】
本発明においては、前記第１光源列と前記第２光源列とは、前記第２回路基板を挟んで互いに対向しているものとすることができる。
この構成によれば、第１回路基板と第２回路基板においてそれぞれ第１光源列及び第２光源列が配置される面が同じ向きになるため、例えば、実装上の問題でこれらの面が同じ向きに限定されるような場合には、この構成を採用することができる。
【手続補正９】
【補正対象書類名】明細書
【補正対象項目名】００３３
【補正方法】変更
【補正の内容】
【００３３】
光源１１は、導光体１２の光導入面１２ａと対向する面内において、Ｘ軸方向に一定の間隔をおいて複数個配置されている。また、このようにＸ軸方向に配列された複数の光源１１からなる光源アレイ（光源列）が、Ｚ軸方向に一定の間隔をおいて複数列配置されている。なお、図１では、一の光源アレイに含まれる光源１１の数を４つとし、Ｚ軸方向に配列される光源アレイの数を２つとしているが、これらの数は必ずしもこれに限定されない。
【手続補正１０】
【補正対象書類名】明細書
【補正対象項目名】００３４
【補正方法】変更
【補正の内容】
【００３４】
図３において、Ｚ軸方向に配列された複数の光源アレイのうち、上段側（＋Ｚ側）の第１光源アレイ（第１光源列）１１Ａは、第１回路基板５１上に実装されており、下段側（−Ｚ側）の第２光源アレイ（第２光源列）１１Ｂは、第２回路基板５２上に実装されている。第１回路基板５１と第２回路基板５２とは、第１光源アレイ１１Ａ及び第２光源アレイ１１Ｂを挟んで対向している。第１回路基板５１及び第２回路基板５２は、例えば、ポリイミド樹脂等からなる可撓性のベース基材を主体とし、その表面には、それぞれ光源１１に接続される複数の配線パターン５３及び５４が形成されている。この配線パターン５３，５４は、一方の端部が図示略の外部回路に接続されており、他方の端部が光源１１に接続されている。
【手続補正１１】
【補正対象書類名】明細書
【補正対象項目名】００４２
【補正方法】変更
【補正の内容】
【００４２】
［第２の実施の形態］
図４は、照明装置の第２実施形態を示す図である。この照明装置６１では、一の回路基板５５上に、第１光源アレイ（第１光源列）１１Ａの光源１１と第２光源アレイ（第２光源列）１１Ｂの光源１１とが実装されている。回路基板５５において第１光源アレイ１１Ａ及び第２光源アレイ１１Ｂが配置される面（実装面）５５Ｆは、導光体１２の光導入面１２ａに対向されており、この実装面５５Ｆとは反対側に向けられた光源１１の発光面は、導光体１２の光導入面１２ａに対向している。この構成によれば、一の回路基板５５上に全ての光源１１が実装されているため、部品点数の削減が図られ、コストダウンが実現できる。
【手続補正１２】
【補正対象書類名】明細書
【補正対象項目名】００４３
【補正方法】変更
【補正の内容】
【００４３】
［第３の実施の形態］
図５は、照明装置の第３実施形態を示す図である。この照明装置６２では、一の回路基板５６の上面５６Ｆ１側に第１光源アレイ（第１光源列）１１Ａの光源１１が実装され、下面５６Ｆ２側に第２光源アレイ（第２光源列）１１Ｂの光源１１が実装されている。回路基板５６において第１光源アレイ１１Ａが配置される面（第１実装面）及び第２光源アレイ１１Ｂが配置される面（第２実装面）は、導光体１２の光導入面１２ａに対して垂直に配置されており、その面に垂直に設けられた光源１１の発光面は、導光体１２の光導入面１２ａに対向している。また、回路基板５６の端部は、光導入面１２ａに設けられた溝１２Ｄの内面に接着され、導光体１２に固定されている。この構成によれば、一の回路基板５６上に全ての光源１１が実装されているため、部品点数の削減が図られ、コストダウンが実現できる。
【手続補正１３】
【補正対象書類名】明細書
【補正対象項目名】００４４
【補正方法】変更
【補正の内容】
【００４４】
［第４の実施の形態］
図６は、照明装置の第４実施形態を示す図である。この照明装置６３では、第２光源アレイ（第２光源列）１１Ｂの光源１１が、第２回路基板５７の下面５７Ｆ上に実装されている。第２回路基板５７において第２光源アレイ１１Ｂが配置される面（実装面）５７Ｆは、導光体１２の光導入面１２ａに対して垂直に配置されており、その面に垂直に設けられた光源１１の発光面は、導光体１２の光導入面１２ａに対向している。また、第２回路基板５７の端部は、光導入面１２ａに設けられた溝１２Ｄの内面に接着され、導光体１２に固定されている。
【手続補正１４】
【補正対象書類名】明細書
【補正対象項目名】００４５
【補正方法】変更
【補正の内容】
【００４５】
この構成は、第２回路基板５７の第２光源アレイ１１Ｂが配置される面５７Ｆが第２回路基板５７の下面側に設けられている点を除いて、図３に示した照明装置６と同じ構成である。この構成においては、第１回路基板５１と第２回路基板５７においてそれぞれ第１光源アレイ（第１光源列）１１Ａ及び第２光源アレイ１１Ｂが配置される面５１Ｆ，５７Ｆが同じ向きになるため、例えば、実装上の問題でこれらの面５１Ｆ，５７Ｆが同じ向きに限定されるような場合には、この構成を採用することができる。
【手続補正１５】
【補正対象書類名】明細書
【補正対象項目名】００４６
【補正方法】変更
【補正の内容】
【００４６】
［第５の実施の形態］
図７は、照明装置の第５実施形態を示す図である。この照明装置６４では、導光体１２の光導入面１２ａに、第１光源アレイ（第１光源列）１１Ａ、第２光源アレイ（第２光源列）１１Ｂ及び第３光源アレイ（第３光源列）１１Ｃが配置され、これら３列の光源アレイ１１Ａ，１１Ｂ，１１Ｃが一の回路基板５８上に実装されている。回路基板５８の光源アレイ１１Ａ，１１Ｂ，１１Ｃが配置される面（実装面）５８Ｆは、導光体１２の光導入面１２ａに対向配置されており、この実装面５８Ｆとは反対側に向けられた光源１１の発光面が、導光体１２の光導入面１２ａに対向している。この構成によれば、光源アレイが３列に増えることによって、より明るい表示が可能になると共に、一の回路基板５８上に全ての光源１１が実装されているため、部品点数の削減が図られ、コストダウンが実現できる。
【手続補正１６】
【補正対象書類名】明細書
【補正対象項目名】００４７
【補正方法】変更
【補正の内容】
【００４７】
［第６の実施の形態］
図８は、照明装置の第６実施形態を示す図である。この照明装置６５では、第１光源アレイ（第１光源列）１１Ａ、第２光源アレイ（第２光源列）１１Ｂ、第３光源アレイ（第３光源列）１１Ｃが、それぞれ第１回路基板５１、第２回路基板５７及び第３回路基板５９の下面５１Ｆ，５７Ｆ，５９Ｆに実装されている。第２回路基板５７及び第３回路基板５９において第２光源アレイ１１Ｂ及び第３光源アレイ１１Ｃが配置される面（実装面）５１Ｆ，５７Ｆ，５９Ｆは、導光体１２の光導入面１２ａに対して垂直に配置されており、その面に垂直に設けられた光源１１の発光面は、導光体１２の光導入面１２ａに対向している。また、第２回路基板５７及び第３回路基板５９の端部は、それぞれ光導入面１２ａに設けられた溝１２Ｄ１及び溝１２Ｄ２の内面に接着され、導光体１２に固定されている。
【手続補正１７】
【補正対象書類名】明細書
【補正対象項目名】００４９
【補正方法】変更
【補正の内容】
【００４９】
［第７の実施の形態］
図９は、照明装置の第７実施形態を示す図である。図９に示すように、この照明装置６６では、第１光源アレイ（第１光源列）１１Ａの光源１１が、第１回路基板５１の下面５１Ｆに実装され、第２光源アレイ（第２光源列）１１Ｂの光源１１が、第２回路基板５２の上面５２Ｆに実装されている。第１回路基板５１と第２回路基板５２とは、第１光源アレイ１１Ａ及び第２光源アレイ１１Ｂを挟んで対向しており、第１光源アレイ１１Ａと第２光源アレイ１１Ｂとは、その光源１１の配列周期において半周期分だけずれて配置されている。Ｚ軸方向から見ると、第１光源アレイ１１Ａの光源１１と第２光源アレイ１１Ｂの光源１１とは、光源１１の配列方向において互い違いにずれて配置されており、その光源１１の光軸は互いに重ならないようになっている。また、Ｘ軸方向から見ると、第１光源アレイ１１Ａの光源１１と第２光源アレイ１１Ｂの光源１１とは、部分的に重なって配置されている。
【手続補正１８】
【補正対象書類名】明細書
【補正対象項目名】００５７
【補正方法】変更
【補正の内容】
【００５７】
例えば、上記の実施形態では、光導入面１２ａに配置される光源アレイ（光源列）の数をニ又は三としたが、この数を四以上とすることも可能である。また、本発明の液晶装置の一例として、アクティブ素子を用いない単純マトリクス方式の液晶装置又はＴＦＤ（Thin Film Diode）等の２端子型スイッチング素子を用いたアクティブマトリクス方式の液晶装置を例に挙げたが、ＴＦＴ（Thin Film Transistor）等の３端子型スイッチング素子を用いたアクティブマトリクス方式の液晶装置等に本発明を適用することもできる。さら、本発明の照明装置の一例として、液晶パネルを背面側から照明する照明装置（バックライト）を例に挙げたが、液晶パネルを前面側から照明する照明装置（フロントライト）に本発明を適用することもできる。
【手続補正１９】
【補正対象書類名】明細書
【補正対象項目名】００５９
【補正方法】変更
【補正の内容】
【００５９】
１…液晶装置、２…液晶パネル、６…照明装置、１１…光源、１１Ａ…第１光源アレイ（第１光源列）、１１Ｂ…第２光源アレイ（第２光源列）、１１Ｃ…第３光源アレイ（第３光源列）、１２…導光体、１２ａ…光導入面、１２ｂ…光射出面、１２Ｄ，１２Ｄ１，１２Ｄ２…溝、５１…第１回路基板、５２…第２回路基板、５５…回路基板、５６…回路基板、５７…第２回路基板、５８…回路基板、５９…第３回路基板、６１〜６６…照明装置